(57)【特許請求の範囲】
【請求項１】
水面に浮かべられる第一浮体と、
前記第一浮体から吊り下げられる膜と、
前記膜の下方の水底を覆う板状部材と、
前記膜の一面側と他面側とにおいて水面から垂下され、下端が前記板状部材に連結され、水中における前記膜の可動範囲を前記板状部材の上方に制限する制限部材と
を備える汚濁防止装置。
【請求項２】
少なくとも前記第一浮体と前記膜と前記制限部材とを前記板状部材に載せて前記板状部材を吊り上げるための吊り金具が、前記膜の一面側と他面側とにおいて前記板状部材の上面に設けられている請求項１に記載の汚濁防止装置。
【請求項３】
前記膜の一面側と他面側とにおいて水面に浮かべられる第二浮体と、
前記第一浮体と前記第二浮体とを連結する連結部材と
を備え、
前記制限部材は、前記第二浮体から垂下される
請求項１又は２に記載の汚濁防止装置。
【請求項４】
前記板状部材は、上下方向に貫通する孔を備えたゴム板である請求項１乃至３のいずれか１項に記載の汚濁防止装置。
【請求項５】
前記板状部材は、前記膜の一面側に配置される部材と、前記膜の他面側に配置される部材と、当該膜の一面側に配置される部材と当該膜の他面側に配置される部材とを連結するヒンジとを備える請求項１乃至４のいずれか１項に記載の汚濁防止装置。
【請求項６】
請求項１乃至５のいずれか１項に記載の汚濁防止装置を設置又は撤去する場合に、少なくとも前記第一浮体と前記膜と前記制限部材とを前記板状部材に載せて前記板状部材を吊り上げる
汚濁防止装置の吊り上げ方法。
【発明の詳細な説明】
【技術分野】
【０００１】
本発明は、汚濁を防止する装置に関する。
【背景技術】
【０００２】
浚渫や埋立などの工事で発生する汚濁を周辺に拡散させないための手段として、垂下型の汚濁防止膜が知られている。図１は、垂下型の汚濁防止膜の例を示す斜視図である。図２、図３は、Ａ方向の側面図である。水面に浮かぶ浮体９０から膜９１が吊り下げられ、膜９１の下端には錘９２が取り付けられている。水底にはアンカーブロック９３が設けられ、アンカーロープ９４によって浮体９０がアンカーブロック９３に係留される。
【０００３】
膜の上下方向の寸法は、一般に、膜の下端が水底に着底する程度の長さに設計される（図２参照）。ところが、工事が行われる水域の水深は一定とは限らない。例えば岩礁やサンゴ礁などのように水深が浅くなっている場所では、膜の下部（膜の下端から或る程度の長さにわたる部分）が水底に接触する場合がある。また、潮汐によって潮位が低下したときに膜の下部が水底に接触する場合もある。膜の下部が水底に接触しているときに潮流や波浪によって膜が横方向に揺さぶられると、水底に接触している部分が水底に擦り付けられて破損するおそれがある（図３参照）。
【０００４】
特許文献１には、膜の破損を防ぐための技術が開示されている。この技術では、水底に金網が敷設され、金網の上面に所定のピッチで複数のウェイトチェーンが配置され、ウェイトチェーンの両端がアンカーに連結される。金網の上方に膜が係留されることにより、膜が水底に接触しないように構成されている。
【先行技術文献】
【特許文献】
【０００５】
【特許文献１】特開２００５−３５１０７３号公報
【発明の概要】
【発明が解決しようとする課題】
【０００６】
しかし、特許文献１で開示された技術では、膜の上端が浮体につながれているに過ぎないため、潮流や波浪で揺さぶられることによって膜の下部が金網に擦り付けられてしまう。また、膜が金網の範囲を逸脱して水底に接触することを防ぐために、膜の水底への接触が想定される範囲の全域を覆う面積の金網を設置する必要がある。また、膜の設置や撤去に伴って金網の設置や撤去の工程が発生し、設置の際には金網と膜との位置合わせも必要となるので、工期が長くなってしまう。
そこで、本発明は、設置や撤去が容易で、且つ、膜の破損を防ぐことのできる汚濁防止装置を提供する。
【課題を解決するための手段】
【０００７】
本発明は、水面に浮かべられる第一浮体と、前記第一浮体から吊り下げられる膜と、前記膜の下方の水底を覆う板状部材と、前記膜の一面側と他面側とにおいて水面から垂下され、下端が前記板状部材に連結され、水中における前記膜の可動範囲を前記板状部材の上方に制限する制限部材とを備える汚濁防止装置を提供する。
上記の構成において、少なくとも前記第一浮体と前記膜と前記制限部材とを前記板状部材に載せて前記板状部材を吊り上げるための吊り金具が、前記膜の一面側と他面側とにおいて前記板状部材の上面に設けられていてもよい。
また、上記の構成において、前記膜の一面側と他面側とにおいて水面に浮かべられる第二浮体と、前記第一浮体と前記第二浮体とを連結する連結部材とを備え、前記制限部材は、前記第二浮体から垂下されてもよい。
また、上記の構成において、前記板状部材は、上下方向に貫通する孔を備えたゴム板であってもよい。
また、上記の構成において、前記板状部材は、前記膜の一面側に配置される部材と、前記膜の他面側に配置される部材と、当該膜の一面側に配置される部材と当該膜の他面側に配置される部材とを連結するヒンジとを備えていてもよい。
また、本発明は、上記のいずれかの汚濁防止装置を設置又は撤去する場合に、少なくとも前記第一浮体と前記膜と前記制限部材とを前記板状部材に載せて前記板状部材を吊り上げる汚濁防止装置の吊り上げ方法を提供する。
【発明の効果】
【０００８】
本発明によれば、設置や撤去が容易で、且つ、膜の破損を防ぐことのできる汚濁防止装置を提供することができる。
【図面の簡単な説明】
【０００９】
【図１】垂下型の汚濁防止膜の例を示す斜視図。
【図２】Ａ方向の側面図。
【図３】Ａ方向の側面図。
【図４】汚濁防止装置１を示す斜視図。
【図５】Ｂ方向の側面図。
【図６】板状部材７のＣ領域を拡大した側面図。
【図７】同領域の平面図。
【図８】部材を吊り上げる準備の様子を示す図。
【図９】部材を吊り上げた様子を示す図。
【図１０】吊り上げた部材を降下させる様子を示す図。
【図１１】板状部材７を着底させた様子を示す図。
【図１２】第一浮体３を係留した様子を示す図。
【発明を実施するための形態】
【００１０】
本発明を実施するための形態の一例について説明する。
＜構成＞
図４は、汚濁防止装置１を示す斜視図である。図５は、Ｂ方向の側面図である。汚濁防止装置１は、膜２、第一浮体３、第二浮体４、連結部材５、制限部材６、板状部材７、アンカーロープ８及びアンカーブロック９を含む。膜２は、例えば、ポリエステルなどの合成繊維で作製された布である。第一浮体３及び第二浮体４は、水よりも比重の軽い物体であり、例えば、膜２の幅と同等の長さの筒状の袋に発泡スチロールなどを収容したものである。膜２の上端が第一浮体３に取り付けられる。第二浮体４は、膜２の一面側と他面側とにそれぞれ配置され、その長手方向が第一浮体３の長手方向と同じ方向になるように配置される。連結部材５は、例えばロープであり、第一浮体３と第二浮体４とを連結する。なお、図示した例では、第一浮体３の直径が第二浮体４の直径よりも大きいが、第一浮体３と第二浮体４の大小関係はこの例に限定されない。
【００１１】
制限部材６は、例えば上下方向に延びる複数のロープ６１と横方向に延びる複数のロープ６２とを格子状に連結して構成される。制限部材６は、膜２の一面側と他面側とにそれぞれ設けられ、上下方向に延びる複数のロープ６１の上端が第二浮体４に取り付けられる。アンカーブロック９は、例えば水底に固定されたコンクリートのブロックであり、膜２の一面側と他面側とにそれぞれ設けられる。第一浮体３は、アンカーロープ８によってアンカーブロック９に係留される。板状部材７は、膜２の一面側に配置される部材７１と、膜２の他面側に配置される部材７１と、２つの部材７１を連結するヒンジ７２とを備える。
【００１２】
図６は、板状部材７のＣ領域（図５参照）を拡大した側面図である。図７は、同領域の平面図である。部材７１は、例えばゴムの板であり、上下方向に貫通する複数の孔７３を備える。ヒンジ７２の長手方向の複数個所に留め金具７４が設けられ、膜２の下端が留め金具７４に連結される。板状部材７のヒンジ７２と反対側の縁部付近では、制限部材６を構成する上下方向に延びる複数のロープ６１に対応する位置のそれぞれに吊り金具７５が設けられ、上下方向に延びるロープ６１の下端が吊り金具７５に連結される。板状部材７を吊り上げる場合には、吊り金具７５にワイヤロープを連結して起重機などによって吊り上げる。
【００１３】
要するに、汚濁防止装置１は、水面に浮かべられる第一浮体と、前記第一浮体から吊り下げられる膜と、前記膜の下方の水底を覆う板状部材と、前記膜の一面側と他面側とにおいて水面から垂下され、下端が前記板状部材に連結され、水中における前記膜の可動範囲を前記板状部材の上方に制限する制限部材とを備える汚濁防止装置の一例である。また、本実施形態においては、少なくとも前記第一浮体と前記膜と前記制限部材とを前記板状部材に載せて前記板状部材を吊り上げるための吊り金具が、前記膜の一面側と他面側とにおいて前記板状部材の上面に設けられている。また、本実施形態においては、前記膜の一面側と他面側とにおいて水面に浮かべられる第二浮体と、前記第一浮体と前記第二浮体とを連結する連結部材とを備え、前記制限部材は、前記第二浮体から垂下される。また、本実施形態においては、前記板状部材は、上下方向に貫通する孔を備えたゴム板である。また、本実施形態においては、前記板状部材は、前記膜の一面側に配置される部材と、前記膜の他面側に配置される部材と、当該膜の一面側に配置される部材と当該膜の他面側に配置される部材とを連結するヒンジとを備える。
【００１４】
＜設置の手順＞
次に、汚濁防止装置１の設置の手順について説明する。以下の例では、汚濁防止装置１の設計時に想定した水深Ｄ１（図５参照）よりも浅い水深Ｄ２における膜２の挙動を例示する。
【００１５】
（１）準備
図８は、部材を吊り上げる準備の様子を示す図である。板状部材７を地面に置き、膜２の下端を留め金具７４（図６参照）に連結し、膜２をつづら折りに畳んで板状部材７に載せる。第一浮体３に膜２とアンカーロープ８（図示省略）を取り付け、連結部材５で第一浮体３と第二浮体４を連結する。次に、制限部材６（図示省略）の上端を第二浮体４に取り付け、制限部材６の下端を吊り金具７５（図６参照）に取り付け、制限部材６を折り畳んで板状部材７に載せる。つまり、この準備作業によって、膜２、第一浮体３、第二浮体４、連結部材５、制限部材６、板状部材７及びアンカーロープ８が図４、図５に示すように組み立てられた状態となる。なお、汚濁防止装置１の設置を予定する場所の水底に、アンカーブロック９を設置しておく。
【００１６】
（２）吊り上げ
吊り金具７５（図６参照）にワイヤロープ１０を連結する。このとき、板状部材７に載せた全ての部材をワイヤロープ１０よりも板状部材７の中央側（ヒンジ７２側）に寄せてワイヤロープ１０を連結する。
図９は、部材を吊り上げた様子を示す図である。ワイヤロープ１０を起重機で吊り上げると、２つの部材７１がヒンジ７２を中心として回転するとともに部材７１に撓みが生じて谷状の空間が形成され、この空間に膜２、第一浮体３、第二浮体４、連結部材５、制限部材６（図示省略）、アンカーロープ８（図示省略）が収容される。
【００１７】
（３）降下
図１０は、吊り上げた部材を降下させる様子を示す図である。吊り上げた部材を予定の位置に移動し、水中に降下させる。第一浮体３と第二浮体４は水面に浮かぶが、板状部材７はワイヤロープ１０とともに水中に降下する。このとき、折り畳まれていた膜２と制限部材６が徐々に開いていく。
【００１８】
（４）着底、係留
図１１は、板状部材７を着底させた様子を示す図である。最初にヒンジ７２が着底し、吊り上げ時と逆方向に部材７１が回転して部材７１の下面が着底する。
図１２は、第一浮体３を係留した様子を示す図である。板状部材７が着底したならば、第一浮体３をアンカーロープ８でアンカーブロック９に係留し、吊り金具７５からワイヤロープ１０を取り外して起重機を退去させる。制限部材６にたるみが生じた場合には、制限部材６の上下方向の長さを詰めてたるみを取り除くことが望ましい。なお、アンカーロープ８は、板状部材７に載せずに台船などで運搬し、板状部材７の着底後に第一浮体３に取り付けてもよい。
【００１９】
＜撤去の手順＞
次に、汚濁防止装置１の撤去の手順について説明する。撤去する汚濁防止装置１の近傍に起重機を移動させ、図１１に示すようにワイヤロープ１０を吊り金具７５に連結する。次に、アンカーロープ８をアンカーブロック９から取り外して板状部材７に載せる。起重機でワイヤロープ１０を吊り上げると、図１０に示すように、２つの部材７１がヒンジ７２を中心として回転するとともに部材７１に撓みが生じて谷状の空間が形成され、この空間に膜２、第一浮体３、第二浮体４、連結部材５、制限部材６、アンカーロープ８（図示省略）が収容される。なお、アンカーロープ８をアンカーブロック９及び第一浮体３から取り外して、板状部材７に載せずに台船などで運搬してもよい。要するに、上述した設置又は撤去の手順は、前記汚濁防止装置を設置又は撤去する場合に、少なくとも前記第一浮体と前記膜と前記制限部材とを前記板状部材に載せて前記板状部材を吊り上げる汚濁防止装置の吊り上げ方法の一例である。
【００２０】
図１２では、制限部材６を備えない場合の膜の挙動を破線で示している。これに対して、本実施形態では、制限部材６によって膜２の可動範囲が板状部材７の上方に制限されるから、膜２が水底に擦り付けられて破損することを防ぐことができる。また、制限部材６を備えない場合と比べて、板状部材７の面積を小さくすることができる。また、板状部材７に膜２などの部材を載せて吊り上げるように構成されているから、汚濁防止装置１の設置や撤去が容易であり、工程も増やさずに済む。また、第一浮体３と別に設けられた第二浮体４から制限部材６が垂下されるから、膜２の可動範囲を適正に保つことができる。また、板状部材７と水底との間に流入した水が孔７３を通過して上方に抜けるから、板状部材７の浮き上がりを防ぐことができる。また、吊り上げた各部材を水中で移動させるときに水が孔７３を通過するから、水の抵抗を減らすことができる。また、膜２の下端が板状部材７の上面に取り付けられているから、膜２が板状部材７に擦り付けられることを防ぐことができる。
【００２１】
＜変形例＞
上記の実施形態を次のように変形してもよい。
＜１＞
汚濁防止装置１が第二浮体４を備えなくてもよい。この場合、制限部材６の上端を第一浮体３に取り付けてもよい。
第一浮体３と第二浮体４が連結部材５で連結されていなくてもよい。
＜２＞
板状部材７を吊り上げるときに、ワイヤロープ１０を用いずに、制限部材６を起重機で吊り上げるようにしてもよい。
＜３＞
膜２の下端が板状部材７に取り付けられていなくてもよい。
＜４＞
板状部材７がヒンジ７２を備えなくてもよい。板状部材７はゴムの板であるから、板状部材７を吊り上げるときに撓みが生じ、この撓みによって形成された空間に膜２などの部材が収容される。
【００２２】
＜５＞
汚濁防止装置１を以下の手順で設置してもよい。上記の実施形態で例示した（１）、（２）の手順により、部材（膜２、第一浮体３、第二浮体４、連結部材５、制限部材６、板状部材７及びアンカーロープ８）を起重機で１メートル程度の高さに吊り上げ（図９参照）、これらの部材をロープなどを用いて結束する。結束された部材を水面に移動させ、ワイヤロープ１０を取り外すと、結束された部材が水面に浮く。次に、結束された部材を予定の位置まで台船で曳航する。予定の位置で結束を解くと、第一浮体３と第二浮体４は水面に浮かぶが、板状部材７は水中に降下し、折り畳まれていた膜２と制限部材６が徐々に開いていく（図１０参照。ただし、ワイヤロープ１０を除く）。板状部材７が着底したならば（図１１参照。ただし、ワイヤロープ１０を除く）、第一浮体３をアンカーロープ８でアンカーブロック９に係留し、台船を退去させる（図１２参照）。
【符号の説明】
【００２３】
１  汚濁防止装置、２  膜、３  第一浮体、４  第二浮体、５  連結部材、６  制限部材、６１  ロープ、６２  ロープ、７  板状部材、７１  部材、７２  ヒンジ、７３  孔、７４  留め金具、７５  吊り金具、８  アンカーロープ、９  アンカーブロック、１０  ワイヤロープ
【要約】
【課題】設置や撤去が容易で、且つ、膜の破損を防ぐことのできる汚濁防止装置を提供すること。
【解決手段】汚濁防止装置１は、水面に浮かべられる第一浮体３と、第一浮体３から吊り下げられる膜２と、膜２の下方の水底を覆う板状部材７と、膜２の一面側と他面側とにおいて水面から垂下され、下端が板状部材７に連結され、水中における膜２の可動範囲を板状部材７の上方に制限する制限部材６とを備える。汚濁防止装置１を設置又は撤去する場合に、少なくとも第一浮体３と膜２と制限部材６とを板状部材７に載せて板状部材７を吊り上げる。
【選択図】図４【図１】
0005956030.tif 000002
【図２】
0005956030.tif 000003
【図３】
0005956030.tif 000004
【図４】
0005956030.tif 000005
【図５】
0005956030.tif 000006
【図６】
0005956030.tif 000007
【図７】
0005956030.tif 000008
【図８】
0005956030.tif 000009
【図９】
0005956030.tif 000010
【図１０】
0005956030.tif 000011
【図１１】
0005956030.tif 000012
【図１２】
0005956030.tif 000013